(57)【要約】【課題】簡単な操作で高速に共通の原稿をファクシミリ送信およびスキャナ送信可能な画像処理装置を提供することを目的とする。【解決手段】原稿のカラー画像を読み取る画像読取手段と、ユーザの操作に応じて、送信種別を選択するための第１の選択手段と、前記カラー画像に基づいて、モノクロ画像を生成するモノクロ画像生成手段と、前記カラー画像および前記モノクロ画像に対して、個別に解像度変換を行う解像度変換手段と、前記カラー画像および前記モノクロ画像に対して、個別に画像の修正を行う画像修正手段とを備え、前記第１の選択手段によりスキャナ送信およびファクシミリ送信の同報送信が選択された場合には、前記解像度変換手段は、前記カラー画像と前記モノクロ画像に対して、それぞれ並列して解像度変換を行い、また、前記画像修正手段は、前記カラー画像と前記モノクロ画像に対して、それぞれ並列して画像の修正を行う。【選択図】        図２
2008078939.tif 000002
【特許請求の範囲】
【請求項１】
原稿のカラー画像を読み取る画像読取手段と、
ユーザの操作に応じて、送信種別を選択するための第１の選択手段と、
前記カラー画像に基づいて、モノクロ画像を生成するモノクロ画像生成手段と、
前記カラー画像および前記モノクロ画像に対して、個別に解像度変換を行う解像度変換手段と、
前記カラー画像および前記モノクロ画像に対して、個別に画像の修正を行う画像修正手段と、
外部にスキャナ送信を行うためのスキャナ送信手段と、
ファクシミリ送信を行うためのファクシミリ送信手段と、
を備え、
前記第１の選択手段によりスキャナ送信およびファクシミリ送信の同報送信が選択された場合には、前記解像度変換手段は、前記カラー画像と前記モノクロ画像に対して、それぞれ並列して解像度変換を行い、また、前記画像修正手段は、前記カラー画像と前記モノクロ画像に対して、それぞれ並列して画像の修正を行うことを特徴とする画像処理装置。
【請求項２】
前記第１の選択手段によりスキャナ送信およびファクシミリ送信の同報送信が選択された場合には、前記スキャナ送信手段は、前記解像度変換手段および前記画像シフト手段で処理されたカラー画像をスキャナ送信し、また、前記ファクシミリ送信手段は、前記解像度変換手段および画像シフト手段で処理されたモノクロ画像をファクシミリ送信し、
前記スキャナ送信と前記ファクシミリ送信とを同時に行うことを特徴とする請求項１に記載の画像処理装置。
【請求項３】
さらに、ユーザの操作に応じて、送信する画像種類を選択するための第２の選択手段を備え、
前記第２の選択手段は、前記第１の選択手段によりスキャナ送信およびファクシミリ送信の同報送信が選択された場合には、前記スキャナ送信する画像として、モノクロ２値画像、モノクロスケール画像、ＲＧＢフルカラー画像、またはＲＧＢ８色カラー画像のいずれかを選択可能としたことを特徴とする請求項２に記載の画像処理装置。
【請求項４】
前記第１の選択手段によりスキャナ送信およびファクシミリ送信の同報送信が選択された場合には、前記カラー画像と前記モノクロ画像とで、異なる階調で送信することを特徴とする請求項２または請求項３に記載の画像処理装置。
【請求項５】
前記第１の選択手段によりスキャナ送信およびファクシミリ送信の同報送信が選択された場合には、送信解像度および画像種類が同じ場合には、いずれか一方の画像をスキャナ送信およびファクシミリ送信することを特徴とする請求項２に記載の画像処理装置。
【請求項６】
前記第１の選択手段によりファクシミリ送信が選択された場合には、前記ファクシミリ送信手段は、前記解像度変換手段および画像修正手段で処理されたモノクロ画像をファクシミリ送信し、また、前記カラー画像を記憶手段に蓄積することを特徴とする請求項１〜請求項５のいずれか１つに記載の画像処理装置。
【請求項７】
前記前記画像読取手段で読み取られたカラー画像を蓄積する画像蓄積手段を備え、
前記モノクロ画像生成手段は、前記画像蓄積手段に蓄積されている前記カラー画像に基づいて、モノクロ画像を生成し、
前記解像度変換手段は、前記画像蓄積手段に蓄積されている前記カラー画像および前記モノクロ画像に対して、個別に解像度変換を施し、
前記画像修正手段は、前記画像蓄積手段に蓄積されている前記カラー画像および前記モノクロ画像に対して、個別に画像位置の修正を行うことを特徴とする請求項１〜６のいずれか１つに記載の画像処理装置。
【請求項８】
前記画像修正手段の画像の修正は、画像位置のシフトまたは枠消去であることを特徴とする請求項１〜請求項７のいずれか１つに記載の画像処理装置。
【請求項９】
原稿のカラー画像を読み取る画像読取工程と、
ユーザの操作に応じて、送信種別を選択するための第１の選択工程と、
前記カラー画像に基づいて、モノクロ画像を生成するモノクロ画像生成工程と、
前記カラー画像および前記モノクロ画像に対して、個別に解像度変換を行う解像度変換工程と、
前記カラー画像および前記モノクロ画像に対して、個別に画像の修正を行う画像修正工程と、
を含み、
前記第１の選択工程によりスキャナ送信およびファクシミリ送信の同報送信が選択された場合には、前記解像度変換工程では、前記カラー画像と前記モノクロ画像に対して、それぞれ並列して解像度変換を行い、また、前記画像修正工程では、前記カラー画像と前記モノクロ画像に対して、それぞれ並列して画像の修正を行うことを特徴とする画像処理方法。
【請求項１０】
前記第１の選択工程によりスキャナ送信およびファクシミリ送信の同報送信が選択された場合には、前記解像度変換工程および前記画像修正工程で処理されたカラー画像をスキャナ送信し、また、前記解像度変換工程および画像修正工程で処理されたモノクロ画像をファクシミリ送信し、前記スキャナ送信と前記ファクシミリ送信とを同時に行うことを特徴とする請求項９に記載の画像処理方法。
【請求項１１】
さらに、ユーザの操作に応じて、送信する画像種類を選択するための第２の選択工程を含み、
前記第２の選択工程では、前記第１の選択工程によりスキャナ送信およびファクシミリ送信の同報送信が選択された場合には、前記スキャナ送信する画像として、モノクロ２値画像、モノクロスケール画像、ＲＧＢフルカラー画像、またはＲＧＢ８色カラー画像のいずれかを選択可能としたことを特徴とする請求項１０に記載の画像処理方法。
【請求項１２】
前記第１の選択工程によりスキャナ送信およびファクシミリ送信の同報送信が選択された場合には、前記カラー画像と前記モノクロ画像とで、異なる階調で送信することを特徴とする請求項１０または請求項１１に記載の画像処理方法。
【請求項１３】
前記第１の選択工程によりスキャナ送信およびファクシミリ送信の同報送信が選択された場合には、送信解像度および画像種類が同じ場合には、いずれか一方の画像をスキャナ送信およびファクシミリ送信することを特徴とする請求項１０に記載の画像処理方法。
【請求項１４】
前記第１の選択工程によりファクシミリ送信の同報送信が選択された場合には、前記解像度変換工程および画像修正工程で処理されたモノクロ画像をファクシミリ送信し、また、前記カラー画像を画像記憶手段に蓄積することを特徴とする請求項９〜請求項１３のいずれか１つに記載の画像処理方法。
【請求項１５】
前記モノクロ画像生成工程では、画像蓄積手段に蓄積されている前記カラー画像に基づいて、モノクロ画像を生成し、
前記解像度変換工程では、前記画像蓄積手段に蓄積されている前記カラー画像および前記モノクロ画像に対して、個別に解像度変換を施し、
前記画像修正工程では、前記画像蓄積手段に蓄積されている前記カラー画像および前記モノクロ画像に対して、個別に画像の修正を行うことを特徴とする請求項９〜１４のいずれか１つに記載の画像処理方法。
【請求項１６】
前記画像修正工程での画像の修正は、画像位置のシフトまたは枠消去であることを特徴とする請求項９〜請求項１５のいずれか１つに記載の画像処理方法。
【請求項１７】
請求項９〜請求項１６のいずれか１つに記載の画像処理方法の各工程をコンピュータに実行させることを特徴とするコンピュータが実行するためのプログラム。
【発明の詳細な説明】
【技術分野】
【０００１】
本発明は、画像処理装置、画像処理方法、およびコンピュータが実行するためのプログラムに関し、詳細には、カラースキャナで読み取ったカラー画像から複数のフォーマットの画像を同時に生成可能な画像処理装置、画像処理方法、およびコンピュータが実行するためのプログラムに関する。
【背景技術】
【０００２】
近時、コピー機能、ＦＡＸ機能、プリンタ機能、およびスキャナ機能等を備えたカラーＭＦＰ（デジタル複合機）が普及している。かかるカラーＭＦＰとして、例えば、特許文献１の技術が公知である。
【０００３】
特許文献１では、ＲＧＢの各色成分の多値データ生成用の拡大または縮小を行う変倍機能と、黒成分として黒または白を示す２値データ生成用の拡大または縮小を行う変倍機能とを別々に備え、ＲＧＢの各色成分多値データと、黒または白を示す２値データとで異なった変倍率を設定して変倍を行う構成を採用することにより、カラー原稿のときの変倍率と、モノクロ原稿のときの変倍率とを別々に設定し、ファイルサイズを最適な値に設定可能なＭＦＰを提案している。
【０００４】
【特許文献１】特開２００５−３４８０４８号公報
【発明の開示】
【発明が解決しようとする課題】
【０００５】
しかしながら、同文献では、カラー原稿の時の変倍率と、モノクロ原稿の時の変倍率と別々に設定し、ユーザの所望する形式で画像データを提供する方法が提案されているが、共通の原稿をファクシミリ送信およびスキャナ送信する場合については考慮されていない。付言すると、ユーザは共通の原稿をファクシミリ送信およびスキャナ送信する場合には、原稿をセットして、操作部でファクシミリ送信の設定を行った後、スタートボタンを押してファクシミリ送信を行い、同様に、同じ原稿を再セットして、操作部でスキャナ送信の設定を行った後、スタートボタンを押して、スキャナ送信を行う必要があるため、ユーザの操作が煩雑であるという問題がある。
【０００６】
本発明は、上記課題に鑑みてなされたものであり、簡単な操作で高速に共通の原稿をファクシミリ送信およびスキャナ送信可能な画像処理装置、画像処理方法、およびコンピュータが実行するためのプログラムを提供することを目的とする。
【課題を解決するための手段】
【０００７】
上述した課題を解決し、目的を達成するために、本発明は、原稿のカラー画像を読み取る画像読取手段と、ユーザの操作に応じて、送信種別を選択するための第１の選択手段と、前記カラー画像に基づいて、モノクロ画像を生成するモノクロ画像生成手段と、前記カラー画像および前記モノクロ画像に対して、個別に解像度変換を施す解像度変換手段と、前記カラー画像および前記モノクロ画像に対して、個別に画像の修正を行う画像修正手段と、外部にスキャナ送信を行うためのスキャナ送信手段と、ファクシミリ送信を行うためのファクシミリ送信手段と、を備え、前記第１の選択手段によりスキャナ送信およびファクシミリ送信の同報送信が選択された場合には、前記解像度変換手段は、前記カラー画像と前記モノクロ画像に対して、それぞれ並列して解像度変換を行い、また、前記画像修正手段は、前記カラー画像と前記モノクロ画像に対して、それぞれ並列して画像の修正を行うことを特徴とする。
【０００８】
また、本発明の好ましい態様によれば、前記第１の選択手段によりスキャナ送信およびファクシミリ送信の同報送信が選択された場合には、前記スキャナ送信手段は、前記解像度変換手段および前記画像修正手段で処理されたカラー画像をスキャナ送信し、また、前記ファクシミリ送信手段は、前記解像度変換手段および画像修正手段で処理されたモノクロ画像をファクシミリ送信し、前記スキャナ送信と前記ファクシミリ送信とを同時に行うことが望ましい。
【０００９】
また、本発明の好ましい態様によれば、さらに、ユーザの操作に応じて、送信画像種類を選択するための第２の選択手段を備え、前記第２の選択手段は、前記第１の選択手段によりスキャナ送信およびファクシミリ送信の同報送信が選択された場合には、前記スキャナ送信する画像として、モノクロ２値画像、モノクロスケール画像、ＲＧＢフルカラー画像、またはＲＧＢ８色カラー画像のいずれかを選択可能としたことが望ましい。
【００１０】
また、本発明の好ましい態様によれば、前記第１の選択手段によりスキャナ送信およびファクシミリ送信の同報送信が選択された場合には、前記カラー画像と前記モノクロ画像とで、異なる階調で送信することが望ましい。
【００１１】
また、本発明の好ましい態様によれば、前記第１の選択手段によりスキャナ送信およびファクシミリ送信の同報送信が選択された場合には、送信解像度および画像種類が同じ場合には、どちらか一方の画像をスキャナ送信およびファクシミリ送信することが望ましい。
【００１２】
また、本発明の好ましい態様によれば、前記第１の選択手段によりファクシミリ送信の同報送信が選択された場合には、前記ファクシミリ送信手段は、前記解像度変換手段および画像修正手段で処理されたモノクロ画像をファクシミリ送信し、また、前記カラー画像を記憶手段に蓄積することが望ましい。
【００１３】
また、本発明の好ましい態様によれば、前記前記画像読取手段で読み取られたカラー画像を蓄積する画像蓄積手段を備え、前記モノクロ画像生成手段は、前記画像蓄積手段に蓄積されている前記カラー画像に基づいて、モノクロ画像を生成し、前記解像度変換手段は、前記画像蓄積手段に蓄積されている前記カラー画像および前記モノクロ画像に対して、個別に解像度変換を施し、前記画像修正手段は、前記画像蓄積手段に蓄積されている前記カラー画像および前記モノクロ画像に対して、個別に画像位置の修正を行うことが望ましい。
【００１４】
また、本発明の好ましい態様によれば、前記画像修正手段の画像の修正は、画像位置のシフトまたは枠消去であることが望ましい。
【００１５】
上記した課題を解決して、本発明の目的を達成するために、本発明は、原稿のカラー画像を読み取る画像読取工程と、ユーザの操作に応じて、送信種別を選択するための第１の選択工程と、前記カラー画像に基づいて、モノクロ画像を生成するモノクロ画像生成工程と、前記カラー画像および前記モノクロ画像に対して、個別に解像度変換を施す解像度変換工程と、前記カラー画像および前記モノクロ画像に対して、個別に画像の修正を行う画像修正工程と、を含み、前記第１の選択工程によりスキャナ送信およびファクシミリ送信の同報送信が選択された場合には、前記解像度変換工程では、前記カラー画像と前記モノクロ画像に対して、それぞれ並列して解像度変換を行い、また、前記画像修正工程では、前記カラー画像と前記モノクロ画像に対して、それぞれ並列して画像の修正を行うことを特徴とする。
【００１６】
また、本発明の好ましい態様によれば、前記第１の選択工程によりスキャナ送信およびファクシミリ送信の同報送信が選択された場合には、前記解像度変換工程および前記画像修正工程で処理されたカラー画像をスキャナ送信し、また、前記解像度変換工程および画像修正工程で処理されたモノクロ画像をファクシミリ送信し、前記スキャナ送信と前記ファクシミリ送信とを同時に行うことが望ましい。
【００１７】
また、本発明の好ましい態様によれば、さらに、ユーザの操作に応じて、送信画像種類を選択するための第２の選択工程を含み、前記第２の選択工程では、前記第１の選択工程によりスキャナ送信およびファクシミリ送信の同報送信が選択された場合には、前記スキャナ送信する画像として、モノクロ２値画像、モノクロスケール画像、ＲＧＢフルカラー画像、またはＲＧＢ８色カラー画像のいずれかを選択可能としたことが望ましい。
【００１８】
また、本発明の好ましい態様によれば、前記第１の選択工程によりスキャナ送信およびファクシミリ送信の同報送信が選択された場合には、前記カラー画像と前記モノクロ画像とで、異なる階調で送信することが望ましい。
【００１９】
また、本発明の好ましい態様によれば、前記第１の選択工程によりスキャナ送信およびファクシミリ送信の同報送信が選択された場合には、送信解像度および画像種類が同じ場合には、どちらか一方の画像をスキャナ送信およびファクシミリ送信することが望ましい。
【００２０】
また、本発明の好ましい態様によれば、前記第１の選択工程によりファクシミリ送信の同報送信が選択された場合には、前記解像度変換工程および画像修正工程で処理されたモノクロ画像をファクシミリ送信し、また、前記カラー画像を画像記憶手段に蓄積することが望ましい。
【００２１】
また、本発明の好ましい態様によれば、前記モノクロ画像生成工程では、画像蓄積手段に蓄積されている前記カラー画像に基づいて、モノクロ画像を生成し、前記解像度変換工程では、前記画像蓄積手段に蓄積されている前記カラー画像および前記モノクロ画像に対して、個別に解像度変換を施し、前記画像修正工程では、前記画像蓄積手段に蓄積されている前記カラー画像および前記モノクロ画像に対して、個別に画像の修正を行うことが望ましい。
【００２２】
また、本発明の好ましい態様によれば、前記画像修正工程での画像の修正は、画像位置のシフトまたは枠消去であることが望ましい。
【００２３】
また、本発明の好ましい態様によれば、本発明の画像処理方法の各工程をコンピュータがプログラムを実行することにより実現することが望ましい。
【発明の効果】
【００２４】
本発明に係る画像処理装置によれば、原稿のカラー画像を読み取る画像読取手段と、ユーザの操作に応じて、送信種別を選択するための第１の選択手段と、前記カラー画像に基づいて、モノクロ画像を生成するモノクロ画像生成手段と、前記カラー画像および前記モノクロ画像に対して、個別に解像度変換を施す解像度変換手段と、前記カラー画像および前記モノクロ画像に対して、個別に画像の修正を行う画像修正手段と、外部にスキャナ送信を行うためのスキャナ送信手段と、ファクシミリ送信を行うためのファクシミリ送信手段と、を備え、前記第１の選択手段によりスキャナ送信およびファクシミリ送信の同報送信が選択された場合には、前記解像度変換手段は、前記カラー画像と前記モノクロ画像に対して、それぞれ並列して解像度変換を行い、また、前記画像修正手段は、前記カラー画像と前記モノクロ画像に対して、それぞれ並列して画像の修正を行うこととしたので、１つの操作で、共通の原稿について、ファクシミリ送信用のモノクロ画像とスキャナ送信用のカラー画像を同時に生成でき、簡単な操作で高速に共通の原稿をファクシミリ送信およびスキャナ送信可能な画像処理装置を提供することが可能になるという効果を奏する。
【発明を実施するための最良の形態】
【００２５】
以下に、この発明に係る画像処理装置、画像処理方法、およびコンピュータが実行するためのプログラムの好適な実施の形態を図面を参照しつつ詳細に説明する。なお、この実施の形態によりこの発明が限定されるものではない。また、下記実施の形態における構成要素には、当業者が容易に想定できるものまたは実質的に同一のものが含まれる。
【００２６】
（実施の形態１）
図１は、実施の形態１に係る画像処理装置のメカ構成を示す図である。同図に示す画像処理装置は、４つの作像ユニットを備えるタンデム型カラー画像形成装置である。画像形成装置は、給紙テーブル２上に装置本体１を載置している。その装置本体１の上にはスキャナ３を取り付けると共に、その上に自動原稿給送装置（ＡＤＦ）４を取り付けている。装置本体１内には、その略中央にベルト状の無端移動部材である中間転写ベルト１０を有する転写装置２０を設けており、中間転写ベルト１０は駆動ローラ９と２つの従動ローラ１５，１６の間に張架されて図５中、時計回り方向に回動するようになっている。
【００２７】
また、この中間転写ベルト１０は、従動ローラ１５の左方に設けられているクリーニング装置１７により、その表面に画像転写後に残留する残留トナーが除去されるようになっている。その中間転写ベルト１０の駆動ローラ９と従動ローラ１５の間に架け渡された直線部分の上方には、その中間転写ベルト１０の移動方向に沿って、イエロー（Ｙ），シアン（Ｃ），マゼンタ（Ｍ），ブラック（Ｋ）の４つのドラム状の感光体４０Ｙ，４０Ｃ，４０Ｍ，４０Ｋ（以下、特定しない場合には単に感光体４０と呼ぶ）が所定の間隔を置いて配設されている。そして、中間転写ベルト１０の内側に各感光体４０に対向して中間転写ベルト１０を挟むように、４個の１次転写ローラ６２が設けられている。
【００２８】
４個の各感光体４０は、それぞれ同図で反時計回り方向に回転可能であり、その各感光体４０の回りには、それぞれ帯電装置６０、現像装置６１、上述した１次転写ローラ６２、感光体クリーニング装置６３、除電装置６４を設けており、それぞれ作像ユニット１８を構成している。そして、その４個の作像ユニット１８の上方に、共用の露光装置２１を設けている。そして、その各感光体上に形成された各画像（トナー画像）が、中間転写ベルト１０上に直接重ね合わせて順次転写されていくようになっている。
【００２９】
一方、中間転写ベルト１０の下側には、その中間転写ベルト１０上の画像を記録紙であるシートＰに転写する転写部となる２次転写装置２２を設けている。その２次転写装置２２は、２つのローラ２３，２３間に無端ベルトである２次転写ベルト２４を掛け渡したものであり、その２次転写ベルト２４が中間転写ベルト１０を介して従動ローラ１６に押し当たるようになっている。
【００３０】
この２次転写装置２２は、２次転写ベルト２４と中間転写ベルト１０との間に送り込まれるシートＰに、中間転写ベルト１０上のトナー画像を一括転写する。そして、２次転写装置２２のシート搬送方向下流側には、シートＰ上のトナー画像を定着する定着装置２５があり、そこでは無端ベルトである定着ベルト２６に加圧ローラ２７が押し当てられている。
【００３１】
なお、２次転写装置２２は、画像転写後のシートを定着装置２５へ搬送する機能も果たす。また、この２次転写装置２２は、転写ローラや非接触のチャージャを使用した転写装置であってもよい。その２次転写装置２２の下側には、シートの両面に画像を形成する際にシートを反転させるシート反転装置２８を設けている。このように、この装置本体１は、間接転写方式のタンデム型カラー画像形成装置を構成している。
【００３２】
このカラー画像形成装置によってカラーコピーをとるときは、自動原稿給送装置４の原稿台３０上に原稿をセットする。また、手動で原稿をセットする場合には、自動原稿給送装置４を開いてスキャナ３のコンタクトガラス３２上に原稿をセットし、自動原稿給送装置４を閉じてそれを押える。
【００３３】
そして、図示していないスタートキーを押すと、自動原稿給送装置４に原稿をセットしたときは、その原稿がコンタクトガラス３２上に給送される。また、手動で原稿をコンタクトガラス３２上にセットしたときは、直ちにスキャナ３が駆動し、第１走行体３３及び第２走行体３４が走行を開始する。そして、第１走行体３３の光源から光が原稿に向けて照射され、その原稿面からの反射光が第２走行体３４に向かうと共に、その光が第２走行体３４のミラーで反射して結像レンズ３５を通して読取りセンサ３６に入射して、原稿の内容が読み取られる。
【００３４】
また、上述したスタートキーの押下により、中間転写ベルト１０が回動を開始する。さらに、それと同時に各感光体４０Ｙ，４０Ｃ，４０Ｍ，４０Ｋが回転を開始して、その各感光体上にイエロー（Ｙ），シアン（Ｃ），マゼンタ（Ｍ），ブラック（Ｋ）の各単色トナー画像を形成する動作を開始する。そして、その各感光体上に形成された各色のトナー画像は、図５で時計回り方向に回動する中間転写ベルト１０上に重ね合わせて順次転写されていき、フルカラーの合成カラー画像が形成される。
【００３５】
一方、上述したスタートキーの押下により、給紙テーブル２内の選択された給紙段の給紙ローラ４２が回転し、ペーパーバンク４３の中の選択された１つの給紙カセット４４からシートＰが繰り出され、それが分離ローラ４５により１枚に分離されて給紙路４６に搬送される。そのシートＰは、搬送ローラ４７により装置本体１内の給紙路４８に搬送され、レジストローラ４９に突き当たって一旦停止する。
【００３６】
また、手差し給紙の場合には、手差しトレイ５１上にセットされたシートＰが給紙ローラ５０の回転により繰り出され、それが分離ローラ５２により１枚に分離されて手差し給紙路５３に搬送され、レジストローラ４９に突き当たって一旦停止状態になる。そのレジストローラ４９は、中間転写ベルト１０上の合成カラー画像に合わせた正確なタイミングで回転を開始し、一旦停止状態にあったシートＰを中間転写ベルト１０と２次転写装置２２との間に送り込む。そして、そのシートＰ上に２次転写装置２２でカラー画像が転写される。
【００３７】
そのカラー画像が転写されたシートＰは、搬送装置としての機能も有する２次転写装置２２により定着装置２５へ搬送され、そこで熱と加圧力が加えられることにより転写されたカラー画像が定着される。その後、そのシートＰは、切換爪５５により排出側に案内され、排出ローラ５６により排紙トレイ５７上に排出されて、そこにスタックされる。また、両面コピーモードが選択されているときには、片面に画像を形成したシートＰを切換爪５５によりシート反転装置２８側に搬送し、そこで反転させて再び転写位置へ導き、今度は裏面に画像を形成した後に、排出ローラ５６により排紙トレイ５７上に排出する。
【００３８】
図２は、実施の形態１に係る画像処理装置のブロック構成を示す図である。実施の形態１に係る画像処理装置は、コピー機能、スキャナ機能、ファックス機能、メール機能、ファイル転送機能等を備えている。実施の形態１に係る画像処理装置は、画像データの読み取りおよび印字出力を行うためのエンジン部１００と、画像処理装置の動作を制御するコントローラ２００と、ファクシミリ通信を行うためのＦＣＵ（ファクシミリ送信手段）３００とを備えている。
【００３９】
エンジン部１００は、ＣＰＵ１１０と、画像読み取り部（スキャナ３）１２０、画像記録部１３０と、ＡＳＩＣ−Ｅ（第１の画像処理部）１４０とを備えている。
【００４０】
ＣＰＵ１１０は、エンジン部１００の全体動作を制御する。画像読み取り部１２０は、ＣＣＤ光電変換素子からなるカラーラインセンサと、Ａ／Ｄコンバータと、それらの駆動回路とを具備し、セットされた原稿をスキャンすることで原稿の濃淡情報をＲＧＢ各８ビットからなるＲＧＢ画像データとして出力する。画像記録部１３０は、ＣＭＹＫ画像データを受け取ると、レーザービームを用いた電子写真プロセスを使って、転写紙に受け取った画像データを出力する。
【００４１】
ＡＳＩＣ−Ｅ１４０は、スキャナ画像処理部１４１と、プリンタ画像処理部１４２と、画像Ｉ／Ｆ部１４３とを備えている。スキャナ画像処理部１４１は、画像読み取り部１２０で読み取られたＲＧＢ画像データに対して、シェーディング補正、フィルタ処理、色補正処理、変倍処理、γ補正等のスキャナ画像処理を行う。プリンタ画像処理部１４２は、ＣＭＹＫ画像データを受け取ると、誤差拡散方法やプリンタγ変換等のプリンタ画像処理を施して画像記録部１３０に出力する。画像Ｉ／Ｆ部１４３は、コントローラ２００およびＦＣＵ３００と画像データ等の送受信を行うためのインターフェィスであり、ＰＣＩ等の汎用バスやビデオＩ／Ｆ等で構成される。
【００４２】
コントローラ２００は、ＣＰＵ２１０と、ＮＢ２１１と、ＳＢ２１２と、ＭＥＭ−Ｐ（メモリ）２２０と、ＡＳＩＣ−Ｄ（スキャナ送信手段）２５０と、操作部２６０と、ＡＳＩＣ−Ｃと、ハードディスク装置２８０と、ＭＥＭ−Ｃ（メモリ）２９０とを備えている。
【００４３】
ＣＰＵ２１０は、画像処理装置の全体制御を行うものであり、ＮＢ２１１、ＭＥＭ−Ｐ（メモリ）２２０およびＳＢ２１２からなるチップセットを有し、このチップセットを介して他の機器と接続される。
【００４４】
ＮＢ２１１は、ＣＰＵ２１０とＭＥＭ−Ｐ２２０、ＳＢ２１２とを接続するためのブリッジである。ＭＥＭ−Ｐ２２０は、プログラムやデータの格納用メモリ、プログラムやデータの展開用メモリなどとして用いるシステムメモリであり、ＲＯＭやＲＡＭとからなる。ＳＢ２１２は、ＮＢ２１１とＡＳＩＣ−Ｄ２５０とを接続するためのブリッジである。
【００４５】
ＡＳＩＣ−Ｄ２５０は、ＲＯＭ２３０や操作部２３０等の各種デバイス、および外部Ｉ／Ｆと接続するためのインターフェイス回路であり、ＵＳＢ（Ｕｎｉｖｅｒｓａｌ  Ｓｅｒｉａｌ  Ｂｕｓ）、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４インターフェイス等が接続される。画像処理装置は、ＡＳＩＣ−Ｄ２５０を介して、外部機器（ＰＣ等）とデータ通信可能に構成されている。
【００４６】
操作部２４０は、操作者が画像処理装置の各種設定や動作指示を行うためのユーザインターフェイスであり、操作入力情報をＡＳＩＣ−Ｄ２５０を介してＣＰＵ２１０に送信する。操作部２４０は、キーボード（スタートキー、テンキー等のメカキー）と液晶タッチパネル操作表示部とを備えている。液晶タッチパネル操作表示部でコピーモード、プリンタモード、送信モード（スキャナ・ファクシミリ同報送信、ファックス、インターネットファックス、メール送信、フォルダ転送）が選択された後、スタートキーが押下されると、選択されたモードが実行される。
【００４７】
ＡＳＩＣ−Ｃ２７０は、画像データの回転を行う回転器２７１と、画像データの編集
を行う編集器２７２と、ＭＥＭ−Ｃ２９０やハードディスク装置２８０のリード／ライトを制御するメモリコントローラ２７３とを備えている。
【００４８】
ＭＥＭ−Ｃ２９０は、送信用画像バッファ、符号バッファとして用いるローカルメモリである。ハードディスク装置２８０は、画像データの蓄積、プログラムの蓄積、フォントデータの蓄積、フォームの蓄積を行うためのストーレジである。
【００４９】
ＦＣＵ３００は、ＣＰＵ３１０と、ＡＳＩＣ−Ｆ３２０と、通信制御部３３０と、ＭＥＭ−Ｆ３４０とを備えている。ＣＰＵ３１０は、ＦＣＵ３００の動作を制御する。ＡＳＩＣ−Ｆ３２０は、画像データの圧縮処理／伸張処理を行う圧縮伸張部３２２と、画像Ｉ／Ｆ部３２１と、を備えている。ＭＥＭ−Ｆ３４０は、送信すべき画像データおよび受信した画像データ等を一時的に格納するバッファメモリである。通信制御部３３０は、外部のファクシミリ装置とのファクシミリ通信を制御する。
【００５０】
図３−１〜図３−３は、操作部２４０の送信設定画面（第１の選択手段）の表示例を示す図である。同図において、選択されたボタンは斜線で示している。操作部２４０で送信モードが選択された場合には、液晶タッチパネル操作表示部に送信設定画面が表示される。同画面では、図３−１〜図３−３に示すように、送信種別を選択するためのボタン｛（１）「全あて先（スキャナ・ファクシミリ同報送信）」、（２）「ファックス（ＦＡＸ（Ｇ３／Ｇ４））」、（３）「インターネットファックス（Ｉ−ＦＡＸ）」、（４）「メール（ｓｃａｎ  ｔｏ  Ｅ−ｍａｉｌ）」、（５）「フォルダ（ｓｃａｎ  ｔｏ  Ｆｏｌｄｅｒ）」｝と、選択された送信種別について、登録されている宛先を選択および検索するための欄と、ユーザによって選択された宛先が表示される宛先表示欄と、読み取り条件設定画面を表示するための「読み取り条件」ボタンと、を備えている。
【００５１】
（１）「全あて先（スキャナ・ファクシミリ同報送信）」が選択された場合には、ユーザが指定した複数の宛先（スキャナ送信の宛先、ファクシミリ送信の宛先）に、スキャナ・ファクシミリの同報送信が行われる。（２）「ファックス（ＦＡＸ（Ｇ３／Ｇ４））」、（３）「インターネットファックス（Ｉ−ＦＡＸ）」が選択された場合は、ファクシミリ送信が行われる。（４）「メール（ｓｃａｎ  ｔｏ  Ｅ−ｍａｉｌ）」、（５）「フォルダ（ｓｃａｎ  ｔｏ  Ｆｏｌｄｅｒ）」｝が選択された場合には、スキャナ送信が行われる。
【００５２】
図３−１は、（２）「ファックス（ＦＡＸ（Ｇ３／Ｇ４））が選択された場合の画面表示例を示している。同図に示す例では、東京営業所［０００１］が宛先として選択されており、東京営業所［０００１］のＦＡＸ番号が宛先表示欄に表示されている。不図示のスタートボタンが押下されると、東京営業所［０００１］のＦＡＸ番号にファクシミリ送信が行われる。
【００５３】
図３−２は、（４）「メール（ｓｃａｎ  ｔｏ  Ｅ−ｍａｉｌ）」が選択された場合の画面表示例を示している。同図に示す例では、田中［００２１］が宛先として選択されており、田中［００２１］のメールアドレスが宛先表示欄に表示されている。不図示のスタートボタンが押下されると、田中［００２１］のメールアドレスにスキャナ送信が行われる。
【００５４】
図３−３は、（１）「全あて先（スキャナ・ファクシミリ同報送信）」が選択された場合の画面表示例を示している。全あて先（スキャナ・ファクシミリ同報送信）では、複数の宛先（スキャナ送信の宛先、ファクシミリ送信の宛先）を選択して、スキャナ・ファクシミリの同報送信が可能となっている。同図に示す例では、東京営業所［０００１］、田中［００２１］が宛先として選択されており、東京営業所［０００１］のＦＡＸ番号、田中［００２１］のメールアドレスが宛先表示欄に表示されている。不図示のスタートボタンが押下されると、東京営業所［０００１］のＦＡＸ番号にファクシミリ送信が行われると共に、田中［００２１］のメールアドレスにスキャナ送信が行われる。
【００５５】
図４−１〜図４−３は、読み取り条件設定画面（第２の選択手段）の表示例を示す図である。「読み取り条件」ボタンが選択されると、読み取り条件設定画面が表示される。読み取り条件設定画面は、解像度のサブ設定画面を表示するための「解像度」ボタン、原稿種類のサブ設定画面を表示するための「原稿種類」ボタン、編集のサブ設定画面を表示するための「編集ボタン」を備えている。
【００５６】
図４−１は、「解像度」ボタンが選択された場合の解像度のサブ設定画面の表示例を示す図である。同図では、ファックス・インターネットファックスの解像度を設定するための解像度設定ボタン｛ふつう字（主２００ｄｐｉ×副１００ｄｐｉ）、小さな字（主２００ｄｐｉ×副２００ｄｐｉ）、微細字（主４００ｄｐｉ×副４００ｄｐｉ）｝と、メール・フォルダの解像度を設定するための解像度設定ボタン｛１００ｄｐｉ、２００ｄｐｉ、
３００ｄｐｉ、４００ｄｐｉ、６００ｄｐｉ｝を備えている。
【００５７】
すなわち、ファックス・インターネットファックス（ファクシミリ送信）の場合は、主２００ｄｐｉ×副１００ｄｐｉ、主２００ｄｐｉ×副２００ｄｐｉ、主４００ｄｐｉ×副４００ｄｐｉの３種類の解像度の設定が可能となっている。また、メール・フォルダの場合（スキャナ送信）は、主１００×副１００ｄｐｉ、主２００×副２００ｄｐｉ、主３００×副３００ｄｐｉ、主４００×副４００ｄｐｉ、主６００×副６００ｄｐｉの５種類の解像度の設定が可能となっている。
【００５８】
図４−２は、「原稿種類」ボタンが選択された場合の原稿種類のサブ設定画面の表示例を示す図である。原稿種類のサブ設定画面は、ファックス・インターネットファックスの送信する原稿種類を設定するための原稿種類設定ボタン｛文字（モノクロ２値）、文字・写真（モノクロ２値）、写真（モノクロ２値）｝と、メール・フォルダの送信するモノクロ原稿を設定するためのモノクロ原稿設定ボタン｛文字（モノクロ２値）、文字・写真（モノクロ２値）、写真（モノクロ２値）、グレースケール｝と、メール・フォルダの送信するカラー原稿を設定するためのカラー原稿設定ボタン｛自動カラー選択、フルカラー、８色カラー｝を備えている。
【００５９】
すなわち、ファックス・インターネットファックスの場合（ファクシミリ送信）の場合には、送信する画像の種類として、モノクロ２値の文字、モノクロ２値の写真、モノクロ２値の文字・写真の３種類が選択可能となっている。また、メール・フォルダの場合（スキャナ送信）の場合、モノクロ２値の文字、モノクロ２値の写真、モノクロ２値の文字・写真、グレースケール画像、ＲＧＢフルカラー画像、ＲＧＢ８色カラー画像の６種類の画像が選択可能となっている。
【００６０】
図４−３は、「編集」ボタンが選択された場合の編集サブ設定画面の表示例を示す図である。編集サブ設定画面は、メール・フォルダの枠消去を選択するためのボタンを備えている。
【００６１】
上記選択された原稿種類、解像度、および編集（修正）内容の条件は、ＣＰＵ２１０によりスキャナ画像処理部１４１に設定され、スキャナ画像処理部１４１では設定された条件に従って画像処理が行われる。なお、編集サブ設定画面では、枠消去についてのみユーザが選択可能となっているが、他の編集（修正）内容である画像のシフト（センタリング等）については、ＣＰＵ２１０が送信種別に応じて、スキャナ画像処理部１４１にパラメータを設定する。
【００６２】
図５は、画像フォーマットの例を示す図である。同図において、（ａ）はスキャナアプリの２値データを示している。（ｂ）はスキャナアプリのＲＧＢフルカラーデータを示している。（ｃ）はコピーアプリのＣＭＹＫフルカラーデータを示している。（ｄ）はスキャナアプリの２値データを示している。（ｅ）はスキャナ・ファクシミリ同報送信のＲＧＢデータ＋２値化Ｋデータを示している。（ｆ）はスキャナ・ファクシミリ同報送信のＲＧＢデータ＋ＰＲＣＫ＿Ｋ（黒パッキング）を示している。（ｇ）はスキャナ・ファクシミリ同報送信のＧＳ１＋２値化Ｋ２を示している。（ｈ）はスキャナ・ファクシミリ同報送信の２値化Ｋ１＋２値化Ｋ２を示している。
【００６３】
図６−１〜図６−３は、図２のスキャナ画像処理部１４１の機能構成図である。図６−１は、スキャナ・ファクシミリ同報送信処理をする場合に、スキャナ送信処理でＲＧＢフルカラー画像またはＲＧＢ８色カラー画像を生成し、ファクシミリ送信処理でモノクロ２値画像を生成する場合を示している。図６−２は、スキャナ・ファクシミリ同報送信処理をする場合に、スキャナ送信処理でグレースケール画像またはモノクロ２値画像を生成し、ファクシミリ送信処理でモノクロ２値画像を生成する場合を示している。図６−３はコピー処理をする場合に、ＣＭＹＫ画像を生成する場合を示している。
【００６４】
スキャナ画像処理部１４１は、図６−１〜図６−３に示すように、シェーディング補正部４００と、絵・文字分離部４０１と、フィルタ処理部４０２と、有彩・無彩判定部４０３と、色補正部４０４と、第１変倍部（解像度変換手段）４０５，４０６と、第２変倍部（解像度変換手段）４０７，４０８と、γ補正部４０９〜４１２と、パッキング部４１３と、２値化部４１４と、画像選択部４１５と、第１シフト部（画像修正手段）４１６と、第２シフト部（画像修正手段）４１７と、正転／反転部４１８〜４２１とを備えている。
【００６５】
図６−１を参照して、スキャナ・ファクシミリ同報送信処理をする場合に、スキャナ送信処理でＲＧＢフルカラー画像またはＲＧＢ８色カラー画像を生成し、ファクシミリ送信処理でモノクロ２値画像を生成する場合のスキャナ画像処理部１４１の動作を説明する。
【００６６】
同図において、シェーディング補正部４００は、画像読み取り部１２０から入力されるＲＧＢ画像データに対してシェーディング補正を行い、シェーディング補正後のＲＧＢ画像データを絵・文字分離部４０１、フィルタ処理部４０２、および有彩・無彩判定部４０３に出力する。
【００６７】
絵・文字分離部４０１は、ＲＧＢ画像データの各画素に対して、絵柄か文字かを判定して、像域分離信号ＳＥＰをフィルタ処理部４０２に出力する。フィルタ処理部４０２は、ＲＧＢ画像データを像域分離信号ＳＥＰに応じて、フィルタ処理を施して、色補正部３０４に出力する。
【００６８】
有彩無彩判定部４０３は、ＲＧＢ画像データが有彩であるか無彩であるかを判定して判定結果（有彩「Ｈ」、無彩「Ｌ」）を出力する。
【００６９】
色補正部４０４は、Ｒ，Ｇ，Ｂ画像データをスルー若しくはｓＲＧＢ画像への変換を行った後、第１変倍部４０５に出力し、また、Ｒ，Ｇ，Ｂ画像データに基づいてモノクログレースケール画像ＧＳを生成して、モノクログレースケール画像ＧＳを第２変倍部４０７に出力し、また、像域分離信号ＳＥＰを第１変倍部４０６，第２変倍部４０８に出力する。
【００７０】
第１変倍部４０５，４０６および第２変倍部４０７,４０８は、ＣＰＵ２１０により解像度および変倍率（画像サイズ）が設定される。第１変倍部４０５，４０６と第２変倍部４０７，４０８とは、個別に解像度および変倍率の設定が可能となっている。第１変倍部４０５は、Ｒ，Ｇ，Ｂ画像データを、設定された解像度および画像サイズに変換して、γ補正部４０９〜４１１に出力する。第１変倍部４０６は、像域分離信号ＳＥＰを、設定された解像度および画像サイズに変換して、変換された像域分離信号ＳＥＰ−１をγ補正部４０９〜４１１および２値化部４１４に出力する。第２変倍部４０８は、像域分離信号ＳＥＰを、設定された解像度および画像サイズに変換して、変換された像域分離信号ＳＥＰ−２をγ補正部４１２および２値化部４１４に出力する。第２変倍部４０７は、モノクログレースケール画像ＧＳを、設定された解像度および画像サイズに変換して、γ補正部４１２に出力する。
【００７１】
γ補正部４０９〜４１２は、Ｒ，Ｇ，Ｂ画像データに対して、像域分離信号ＳＥＰ−１に応じて、それぞれγ補正を行い、γ補正したＲ，Ｇ，Ｂ画像データを版毎に２値化部４１４および画像選択部４１５に出力する。γ補正部４１２は、モノクログレー画像データＧＳに対して、像域分離信号ＳＥＰ−２に応じてγ補正を行って２値化部４１４に出力する。
【００７２】
２値化部４１４は、Ｒ、Ｇ、Ｂ画像データ及びグレースケール画像データＧＳを２値化処理し、２値化Ｒ，Ｇ，Ｂ，Ｋ画像データを画像選択部４１５に出力するとともに、２値化Ｋ画像データをパッキング部４１３に出力する。２値化部４１４では、像域分離信号ＳＥＰ１，２に基づいて、画素が文字部の場合には固定閾値、画素が絵柄部の場合は、ディザ法、誤差拡散法、またはディザ＆誤差拡散法による２値化を行って２値画像を生成する。パッキング部４１３は、２値化Ｋ画像データをパッキングして、パッキング２値化Ｋ画像データＰＡＣＫ＿Ｋを画像選択部４１５に出力する。
【００７３】
画像選択部４１５は、ＣＰＵ２１０による設定に従って、コントローラ２００へ出力する画像データを選択し、選択したスキャナ送信用画像（Ｒ，Ｇ，Ｂ画像データ、または２値化Ｒ、Ｇ、Ｂ画像データ）を第１シフト部４１６に、選択したファクシミリ送信用画像（モノクログレースケール画像データＧＳ、２値化Ｋ画像データ、またはパッキング２値化Ｋ画像データＰＡＣＫ＿Ｋ）を第２シフト部４１７に出力する。
【００７４】
第１シフト部４１６と、第２シフト部４１７は、画像に対して修正処理（画像シフト（センタリング等）、枠消去等）を行うものであり、ＣＰＵ２１０により画像シフト位置・シフト量／枠消去の有無が設定され、両者は個別に設定可能となっている。第１シフト部４１６は、スキャナ送信用画像（Ｒ，Ｇ，Ｂ画像データ、または２値化Ｒ、Ｇ、Ｂ画像データ）に対して、修正処理を施して正転／反転回路４１８〜４２０を介して、画像Ｉ／Ｆ１４３に出力する。第２シフト部４１７は、ファクシミリ送信用画像（モノクログレースケール画像データＧＳ、２値化Ｋ画像データ、またはパッキング２値化Ｋ画像データＰＡＣＫ＿Ｋ）に対して、修正処理を施して、正転／反転回路４２１を介して画像Ｉ／Ｆ１４３に出力する。ここで、Ｒ，Ｇ，Ｂ画像は輝度データで扱うため、正転／反転回路４１８〜４２０では画像の階調を反転させない。また、モノクログレースケール画像、モノクロ２値画像は、濃度データとして扱うため、正転／反転回路４２１は、画像の階調を反転させる。
【００７５】
図７は、第１シフト部４１６および第２シフト部４１７の処理を説明するための説明図である。同図に示す例では、第１シフト部４１６は、スキャナ送信用画像に対して、枠消去を施し、第２シフト部４１７は、ファクシミリ送信用画像に対して、センタリングを施した場合を示している。
【００７６】
スキャナ画像処理部１４１で処理されたスキャナ送信用画像（Ｒ，Ｇ，Ｂ画像データ、または２値化Ｒ、Ｇ、Ｂ画像データ）は、画像Ｉ／Ｆ部１４３を介して、コントローラ２００のＭＥＭ−Ｃ２９０に蓄積される。また、スキャナ画像処理部１４１で処理されたファクシミリ送信用画像（モノクログレースケール画像データＧＳ、２値化Ｋ画像データ、またはパッキング２値化Ｋ画像データＰＡＣＫ＿Ｋ）は、画像Ｉ／Ｆ１４３を介して、ＦＣＵ３００のＭＥＭ−Ｆ３４０に蓄積される。
【００７７】
図６−２を参照して、スキャナ・ファクシミリ同報送信処理をする場合に、スキャナ送信処理でグレースケール画像またはモノクロ２値画像を生成し、ファクシミリ送信処理でモノクロ２値画像を生成する場合のスキャナ画像処理部１４１の動作を説明する。図６−１と同じ処理を行う部分の説明は省略する。
【００７８】
同図において、色補正部４０４は、Ｒ，Ｇ，Ｂ画像データをスルー若しくはｓＲＧＢ画像への変換を行うと共に、Ｒ，Ｇ，Ｂ画像データに基づいてモノクログレースケール画像ＧＳ１，ＧＳ２を生成し、Ｒ画像データ，モノクログレースケール画像ＧＳ１，Ｂ画像データをそれぞれ第１変倍部４０５に出力し、また、モノクログレースケール画像ＧＳ２を第２変倍部４０７に出力し、また、像域分離信号ＳＥＰを第１変倍部４０６，第２変倍部４０８に出力する。
【００７９】
第１変倍部４０５，４０６および第２変倍部４０７，４０８は、ＣＰＵ２１０により解像度および変倍率（画像サイズ）が設定される。第１変倍部４０５，４０６と第２変倍部４０７，４０８とは、個別に解像度および変倍率の設定が可能となっている。第１変倍部４０５は、Ｒ，ＧＳ１，Ｂ画像データを、設定された解像度および画像サイズに変換して、γ補正部４０９〜４１１に出力する。第１変倍部４０６は、像域分離信号ＳＥＰを、設定された解像度および画像サイズに変換して、変換された像域分離信号ＳＥＰ−１をγ補正部４０９〜４１１および２値化部４１４に出力する。第２変倍部４０８は、像域分離信号ＳＥＰを、設定された解像度および画像サイズに変換して、変換された像域分離信号ＳＥＰ−２をγ補正部４１２および２値化部４１４に出力する。第２変倍部４０７は、モノクログレースケール画像ＧＳ２を、設定された解像度および画像サイズに変換して、γ補正部４１２に出力する。
【００８０】
γ補正部４０９〜４１１は、Ｒ，ＧＳ１，Ｂ画像データに対して、像域分離信号ＳＥＰ−１に応じて、それぞれγ補正を行い、γ補正したＲ，ＧＳ１，Ｂ画像データを版毎に２値化部４１４および画像選択部４１５に出力する。γ補正部４１２は、モノクログレースケール画像データＧＳ２に対して、像域分離信号ＳＥＰ−２に応じてγ補正を行って２値化部４１４に出力する。
【００８１】
２値化部４１４は、Ｒ、ＧＳ１、Ｂ画像データ及びモノクログレースケール画像データＧＳ２を２値化処理し、２値化Ｒ，Ｋ１，Ｂ，Ｋ２画像データを画像選択部４１５に出力するとともに、２値化Ｋ２画像データをパッキング部４１３に出力する。パッキング部４１３は、２値化Ｋ２画像データをパッキングして、パッキング２値化Ｋ画像データＰＡＣＫ＿Ｋを画像選択部４１５に出力する。
【００８２】
画像選択部４１５は、ＣＰＵ２１０による設定に従って、コントローラ２００へ出力する画像データを選択し、選択したスキャナ送信用画像（Ｒ，ＧＳ１，Ｂ画像データ、または２値化Ｒ、Ｋ１、Ｂ画像データ）を正転／反転部４１８〜４２０を介して、第１シフト部４１６に出力し、また、選択したファクシミリ送信用画像（モノクログレースケール画像データＧＳ２、２値化Ｋ２画像データ、またはパッキング２値化Ｋ画像データＰＡＣＫ＿Ｋ）を正転／反転部４２１を介して、第２シフト部４１７に出力する。
【００８３】
ここで、Ｒ，Ｇ，Ｂ画像は輝度データで扱うため、正転／反転回路４１８，４２０は、は画像の階調を反転させない。また、モノクログレースケール画像、モノクロ２値画像は、濃度データとして扱うため、正転／反転回路４１９，４２１は、画像の階調を反転させる。
【００８４】
第１シフト部４１６は、スキャナ送信用画像（Ｒ，ＧＳ１，Ｂ画像データ、または２値化Ｒ、Ｋ１、Ｂ画像データ）に対して、修正処理を施して画像Ｉ／Ｆ１４３に出力する。第２シフト部４１７は、ファクシミリ送信用画像（モノクログレースケール画像データＧＳ２、２値化Ｋ２画像データ、またはパッキング２値化Ｋ２画像データＰＡＣＫ＿Ｋ）に対して、画像Ｉ／Ｆ１４３に出力する。
【００８５】
スキャナ画像処理部１４１で処理されたスキャナ送信用画像（Ｒ，ＧＳ１，Ｂ画像データ、または２値化Ｒ、Ｋ１、Ｂ画像データ）は、画像Ｉ／Ｆ部１４３を介して、コントローラ２００のＭＥＭ−Ｃ２９０に蓄積される。また、スキャナ画像処理部１４１で処理されたファクシミリ送信用画像（モノクログレースケール画像データＧＳ２、２値化Ｋ２画像データ、またはパッキング２値化Ｋ画像データＰＡＣＫ＿Ｋ）は、ＦＣＵ３００のＭＥＭ−Ｆ３４０に蓄積される。
【００８６】
図６−３を参照して、コピー時の処理（ＹＭＣＫ画像生成）を説明する。図６−１と同じ処理を行う部分の説明は省略する。同図において、色補正部４０４は、Ｒ，Ｇ，Ｂ画像データをＣＭＹＫ画像への変換し、それぞれ第１変倍部４０５，第２変倍部４０７に出力し、また、像域分離信号ＳＥＰを第１変倍部４０６および第２変倍部４０８に出力する。
【００８７】
第１変倍部４０５，４０６、第２変倍部４０７，４０８は、ＣＰＵ２１０により解像度および変倍率が設定される。第１変倍部４０５は、Ｃ，Ｍ，Ｙ画像データを、設定された解像度および画像サイズに変換して、γ補正部４０９〜４１１に出力する。第１変倍部４０６は、像域分離信号ＳＥＰを、設定された解像度および画像サイズに変換して、変換された像域分離信号ＳＥＰ−１をγ補正部４０９〜４１１および２値化部４１４に出力する。第２変倍部４０７は、像域分離信号ＳＥＰを、設定された解像度および画像サイズに変換して、変換された像域分離信号ＳＥＰ−２をγ補正部４１２および２値化部４１４に出力する。第２変倍部４０７は、Ｋ画像データを、設定された解像度および画像サイズに変換して、γ補正部４１２に出力する。
【００８８】
γ補正部４０９〜４１２は、Ｃ，Ｍ，Ｙ画像データに対して、像域分離信号ＳＥＰ−１に応じて、それぞれγ補正を行い、γ補正したＣ，Ｍ，Ｙ画像データを版毎に２値化部４１４および画像選択部４１５に出力する。γ補正部４１２は、Ｋ画像データに対して、像域分離信号ＳＥＰ−２に応じてγ補正を行って２値化部４１４に出力する。
【００８９】
２値化部４１４は、Ｃ、Ｍ、Ｙ画像データ及びＫ画像データを２値化処理し、２値化Ｒ，Ｇ，Ｂ，Ｋ画像データを画像選択部４１５に出力する。
【００９０】
画像選択部４１５は、ＣＰＵ２１０の設定に従って、コントローラ２００へ出力する画像データを選択し、選択したＣＭＹ系画像（Ｃ，Ｍ，Ｙ画像データ、または２値化Ｃ、Ｍ、Ｙ画像データ）および選択したＫ系画像（Ｋ画像データ、または２値化Ｋ画像データ）は、正転／反転部４１８〜４２１および第１シフト部４１６，第２シフト部４１７をスルーして、画像Ｉ／Ｆ１４３を介して、コントローラ２００のＭＥＭ−Ｃ２９０に蓄積される。
【００９１】
つぎに、上記図２の構成の画像処理装置の印刷処理、スキャナ送信処理、ファクシミリ送信処理、スキャナ・ファクシミリ同報送信処理の全体動作の概略を説明する。
【００９２】
［印刷処理］
印刷動作時には、コントローラ２００のＭＥＭ−Ｃ２９０に蓄積されたＣ，Ｍ，Ｙ，Ｋ画像は、画像Ｉ／Ｆ部１４３を介して、プリンタ画像処理部１４２に転送される。Ｃ，Ｍ，Ｙ，Ｋ画像は、画像処理部１１６でプリンタγ補正、階調処理、枠処理等が施された後、画像記録部１３０で記録紙に印刷される。
【００９３】
［スキャナ送信処理］
ＰＣ等から指示を受けたり、ユーザが操作部２４０で送信先、原稿種類、および送信解像度等を設定してスキャナ送信を行う場合には（図３−２、図４−１〜図４−２参照）、画像読み取り部１２０で原稿の画像を読み取り、スキャナ画像処理部１４１による画像処理後、画像Ｉ／Ｆ部１４３を経由してコントローラ２００のＭＥＭ−Ｃ２９０に蓄積される。ＭＥＭ−Ｃ２９０に蓄積された画像は、ＣＰＵ２１０によってＴＩＦＦ形式やＪＰＥＧ形式等の画像データに変換された後、ＡＳＩＣ−Ｄ２５０を介してＰＣに送信される。この場合、ＲＧＢ画像の場合にはＪＰＥＧ形式に、モノクロ画像の場合はＴＩＦＦ形式に変換する。
【００９４】
［ファクシミリ送信処理］
ユーザが操作部２４０で送信先、原稿種類、および送信解像度等を設定してスキャナ送信を行う場合には（図３−１、図４−１〜図４−３参照）、画像読み取り部１２０で原稿の画像を読み取り、スキャナ画像処理部１４１の画像処理後、画像Ｉ／Ｆ部１４３を経由して、ＦＣＵ３００のＭＥＭ−Ｆ３４０に転送されて蓄積される。ＭＥＭ−Ｆ３４０に蓄積された画像は、圧縮伸張器３２１で、ＭＨ、ＭＲ、ＭＭＲ、ＪＢＩＧ等の符号化処理が施された後、通信制御部３３０により相手先に送信される。
【００９５】
［スキャナ・ファクシミリ同報送信処理］
図８は、スキャナ・ファクシミリ同報送信の動作の概略を説明するための図である。同図において、波線はスキャナ・ファクシミリ同報送信を行う場合の画像データの経路を示している。ここでは、ＰＣへのスキャナ送信とＦＡＸ端末へのファクシミリ送信とを同時に行う場合の動作の概略について説明する。
【００９６】
ユーザは、操作部２４０の送信設定画面で、全あて先（スキャナ・ファクシミリ同報送信）」を選択した後、スキャナ送信の宛先（ここでは、ＰＣのフォルダとする）、ファクシミリ送信の宛先を選択し（図３−３参照）、読み取り条件設定画面で、スキャナ送信およびファクシミリ送信の解像度、画像種類、編集内容（修正内容）を選択した後（図４−１〜図４−３参照）、スタートボタンを押下する。ＣＰＵ２１０は、操作部２４０で選択された送信解像度、原稿種類、編集内容（修正内容）に応じて、スキャナ画像処理部１４１にパラメータを設定する。
【００９７】
同図において、まず、画像読み取り部１２０で原稿のＲＧＢ画像データが読み取られ、このＲＧＢ画像データは、スキャナ画像処理部１４１に入力し、シェーディング補正およびフィルタ処理が行われる。この後、スキャナ送信処理とファクシミリ送信処理が並行して行われる。
【００９８】
スキャナ送信処理では、フィルタ処理後のＲＧＢ画像データが、色補正部４０４でスルー若しくはｓＲＧＢ画像に変換された後、スキャナ送信用の解像度および変倍率が設定されている第１変倍部４０５，４０６によって解像度変換・変倍が行われ、さらに、スキャナ送信用の編集内容が設定されている第１シフト部４１６で画像の修正が行われた後、画像Ｉ／Ｆ部１４３を経由してコントローラ２００のＭＥＭ−Ｃ２９０に蓄積される。ＭＥＭ−Ｃ２９０に蓄積された画像データは、ＣＰＵ２１０によってＴＩＦＦ形式やＪＰＥＧ形式等に変換された後、ＡＳＩＣ−Ｄ２５０を介してＰＣに送信される。
【００９９】
ファクシミリ送信処理では、色補正部４０４でＲＧＢ画像からモノクログレースケール画像に変換され、ファクシミリ送信用の送信解像度に応じた変倍率が設定されている第２変倍部４０７，４０８によって解像度変換・変倍が行われ、２値化部４１４で２値化画像が生成された後、スキャナ送信用の編集内容が設定されている第２シフト部４１７で画像の修正が行われた後、ＦＣＵ３００のＭＥＭ−Ｆ３４０に転送されて蓄積される。ＭＥＭ−Ｆ３４０に蓄積された画像は、圧縮伸張器３２１で、ＭＨ、ＭＲ、ＭＭＲ、ＪＢＩＧ等の符号化処理が施された後、通信制御部３３０により相手先に送信される。
【０１００】
ここで、ファクシミリ送信の場合には、画像をセンタリングして送る場合が多いため、画像シフト量としてスキャナ送信とは、異なる設定がなされる。また、ＲＧＢフルカラー画像は画像データの容量が大きいため、ＪＰＥＧ形式の画像フォーマットに変換し、また、モノクログレースケール画像およびモノクロ２値画像は、比較的画像データの容量は少なく可逆圧縮が適しているため、ＴＩＦＦ形式の画像フォーマットに変換する。このため、画像の論理については、上述したように、ＲＧＢ画像では輝度データで扱い階調を反転せずにスキャナ送信し、モノクログレースケール画像、モノクロ２値画像では、階調反転して濃度データでスキャナ送信またはファクシミリ送信する。
【０１０１】
実施の形態１によれば、操作部２４０でスキャナ・ファクシミリ同報送信が選択された場合には、スキャナ画像処理部１４１では、色補正部４０４で、原稿のカラー画像に基づいて、モノクロ画像を生成し、第１変倍部４０５，４０６および第２変倍部４０７，４０８では、それぞれカラー画像およびモノクロ画像に対して、並列（略同時に）かつ個別に変倍・解像度変換を施し、第１シフト部４１６および第２シフト部４１７は、カラー画像およびモノクロ画像に対して、それぞれ並列（略同時）かつ個別に画像修正（画像シフト、枠消去）を行うこととしたので、ファクシミリ送信用およびスキャナ送信用の画像を同時に生成することができ、ファクシミリ送信およびスキャナ送信を１回の操作で、簡単に行うことが可能となる。
【０１０２】
また、実施の形態１によれば、ファクシミリ送信用およびスキャナ送信用の画像をそれぞれ同時に送信することとしたので、原稿の読み取りからスキャナ・ファクシミリ同報送信までを高速に行うことが可能となる。
【０１０３】
また、実施の形態１によれば、スキャナ送信画像として、モノクロ２値画像、モノクロスケール画像、ＲＧＢフルカラー画像、またはＲＧＢ８色カラー画像のいずれかをユーザが操作部２４０で選択可能としたので、ユーザが所望の種類の画像をスキャナ送信することが可能となる。
【０１０４】
また、実施の形態１によれば、カラー画像とモノクロ画像とを異なる階調で送信を行うこととしたので、カラー画像を輝度データで扱い、モノクロ画像を濃度データで扱うことが可能となる。
【０１０５】
なお、スキャナ・ファクシミリ同報送信の場合、送信解像度および画像種類が同じ場合には、いずれか一方の画像をスキャナ送信およびファクシミリ送信することにしてもよい。例えば、スキャナ送信画像が、モノクログレースケール画像またはモノクロ２値画像の場合、画像選択部４１５において、２値化Ｋ１への出力に２値化Ｋ２の画像データまたはＧＳ１の出力にＧＳ２を出力するように設定し、ファクシミリ送信用およびスキャナ送信用の画像データとして、第２変倍部４０７、第２シフト部４１７を経由した画像データを出力することにしてもよい。これにより、スキャナ処理部１４１の設定を単純化することが可能となる。
【０１０６】
（実施の形態２）
図９は、実施の形態２に係る画像処理装置の動作の概略を説明するための図である。同図において、波線はファクシミリ送信を行う場合の画像データの経路を示している。実施の形態２では、ファクシミリ送信が選択された場合に、ファクシミリ送信と並列して原稿のＲＧＢ画像を蓄積手段に蓄積して、原稿画像の保存を行う構成である。
【０１０７】
同図において、操作部２４０の送信設定画面で、「ファックス」を選択した後（図３−１参照）、ファクシミリ送信の宛先を選択し、読み取り条件設定画面で、ファクシミリ送信の解像度、画像種類、編集内容（修正内容）を選択する（４−１〜図４−３参照）。
【０１０８】
ＣＰＵ２１０は、ファクシミリ送信の解像度、原稿種類に応じて、スキャナ画像処理部１４１にパラメータの設定を行う。まず、画像読み取り部１２０では、原稿のＲＧＢ画像データが読み取られ、このＲＧＢ画像データは、スキャナ画像処理部１４１に入力し、シェーディング補正およびフィルタ処理が行われる。この後、ファクシミリ送信処理と原稿画像保存処理が並行して行われる。
【０１０９】
ファクシミリ送信処理では、色補正部４０４でＲＧＢ画像からモノクログレースケール画像に変換され、ファクシミリ送信用の送信解像度に応じた変倍率が設定されている第２変倍部４０７，４０８によって解像度変換・変倍が行われ、２値化部４１４で２値化画像が生成された後、スキャナ送信用の編集内容が設定されている第２シフト部４１７で画像の修正が行われた後、ＦＣＵ３００のＭＥＭ−Ｆ３４０に転送されて蓄積される。ＭＥＭ−Ｆ３４０に蓄積された画像は、圧縮伸張器３２１で、ＭＨ、ＭＲ、ＭＭＲ、ＪＢＩＧ等の符号化処理が施された後、通信制御部３３０により相手先に送信される。
【０１１０】
原稿画像保存処理では、フィルタ処理後のＲＧＢ画像データが、画像Ｎｏまたはファイル名が付されてハードディスク装置２８０に蓄積される。
【０１１１】
実施の形態２によれば、ファクシミリ送信と同時に、ハードディスク装置２８０に原稿のＲＧＢ画像を蓄積することとしたので、原稿画像の保存を行うことが可能となる。
【０１１２】
（実施の形態３）
図１０は、実施の形態３に係る画像処理装置の構成例を示す図である。図２と同等機能を有する部位には同一符号を付してその説明を省略し、異なる点についてのみ説明する。実施の形態３では、蓄積手段に蓄積されているＲＧＢ画像をスキャナ・ファクシミリ同報送信する場合について説明する。実施の形態３に係る画像処理装置は、同図に示す如く、ハードディスク装置２８０に蓄積されたＲＧＢ画像に基づいて、スキャナ送信用画像およびファクシミリ送信用画像を同時に生成可能な第２の画像処理部５００を備えている。
【０１１３】
図１１は、実施の形態３に係るスキャナ処理部１４１の構成例を示す図である。図１２は、実施の形態３に係る第２の画像処理部の構成例を示す図である。図１１および図１２において、図４と同等機能を有する部位には同一符号を付してある。
【０１１４】
実施の形態３では、実施の形態１のスキャナ画像処理部１４１の各部を分離した構成となっている。実施の形態３に係るスキャナ画像処理部１４１は、同図に示すように、図６のシェーディング補正部４００を備えている。操作画面で文書蓄積ボタンが押下されると、画像読み取り装置１２０で読み取られたＲＧＢ画像がスキャナ画像処理部１４１でシェーディング補正された後、画像Ｎ０またはファイル名が付されてハードディスク装置２８０に蓄積される。
【０１１５】
実施の形態３に係る第２の画像処理部５００は、図１２に示すように、絵・文字分離部４０１と、フィルタ処理部４０２と、有彩・無彩判定部４０３と、色補正部４０４と、第１変倍部（解像度変換手段）４０５，４０６と、第２変倍部（解像度変換手段）４０７，４０８と、γ補正部４０９〜４１２と、パッキング部４１３と、２値化部４１４と、画像選択部４１５と、第１シフト部（画像修正手段）４１６と、第２シフト部（画像修正手段）４１７と、正転／反転部４１８〜４２１とを備えている。
【０１１６】
図９を参照して、スキャナ・ファクシミリ同報送信の動作の概略を説明する。同図において、波線はスキャナ・ファクシミリ同報送信を行う場合の画像データの経路を示している。ここでは、ＰＣへのスキャナ送信とＦＡＸ端末へのファクシミリ送信とを同時に行う場合の動作の概略について説明する。操作画面の蓄積文書指定ボタンで蓄積文書を指定した後、実施の形態１と同様にして、スキャナ送信の宛先（ここでは、ＰＣのフォルダとする）、ファクシミリ送信の宛先およびスキャナ送信およびファクシミリ送信の解像度、画像種類、編集内容（修正内容）を選択する。ＣＰＵ２１０は、それぞれの送信解像度、原稿種類、編集内容に応じて、第２の画像処理部５００にパラメータの設定を行う。
【０１１７】
図９において、指定されたＲＧＢ画像が、ハードディスク装置２８０から読み出されて第２の画像処理部５００に入力し、フィルタ処理部４０２でフィルタ処理が行われる。この後、第２の画像処理部５００でスキャナ送信処理とファクシミリ送信処理が並行して行われる。
【０１１８】
スキャナ送信処理では、フィルタ処理後のＲＧＢ画像データが、色補正部４０４でスルー若しくはｓＲＧＢ画像に変換された後、スキャナ送信用の解像度および変倍率が設定されている第１変倍部４０５，４０６によって解像度変換・変倍が行われ、さらに、スキャナ送信用の編集内容が設定されている第１シフト部４１６で画像の修正が行われた後、ＣＰＵ２１０によってＴＩＦＦ形式やＪＰＥＧ形式等に変換され、ＡＳＩＣ−Ｄ２５０を介してＰＣに送信される。
【０１１９】
ファクシミリ送信処理では、色補正部４０４でＲＧＢ画像からモノクログレースケール画像に変換され、ファクシミリ送信用の送信解像度に応じた変倍率が設定されている第２変倍部４０７，４０８によって解像度変換・変倍が行われ、２値化部４１４で２値化画像が生成された後、スキャナ送信用の編集内容が設定されている第２シフト部４１７で画像の修正が行われた後、ＦＣＵ３００のＭＥＭ−Ｆ３４０に転送されて蓄積される。そして、ＭＥＭ−Ｆ３４０に蓄積された画像は、圧縮伸張器３２１で、ＭＨ、ＭＲ、ＭＭＲ、ＪＢＩＧ等の符号化処理が施された後、通信制御部３３０により相手先に送信される。
【０１２０】
実施の形態３によれば、第２の画像処理部５００は、ハードディスク装置２８０に蓄積されているＲＧＢ画像に基づいて、スキャナ送信用画像およびファクシミリ送信用画像を並列（同時に）して生成することとしたので、蓄積手段に蓄積されているＲＧＢ画像に基づいて、ファクシミリ送信用およびスキャナ送信用の画像を同時に生成することが可能となる。
【０１２１】
（プログラム）
なお、本発明の画像処理装置は、複数の機器（例えば、ホストコンピュータ、インターフェイス機器、スキャナ、プリンタ等）から構成されるシステムに適用しても、１つの機器から構成される装置（ホストコンピュータ等）に適用しても良い。
【０１２２】
また、本発明の目的は、上述した画像処理装置の機能を実現するソフトウエアのプログラムコードを記録した記録媒体を、システムまたは装置に供給し、そのシステムまたは装置のコンピュータ（または、ＣＰＵ、ＭＰＵ、ＤＳＰ）が記録媒体に格納されたプログラムコードを実行することによっても達成することが可能である。この場合、記録媒体から読み出されたプログラムコード自体が前述した画像処理装置の機能を実現することになり、そのプログラムコードまたはそのプログラムを記憶した記録媒体は本発明を構成することになる。プログラムコードを供給するための記録媒体としては、ＦＤ、ハードディスク、光ディスク、光磁気ディスク、ＣＤ−ＲＯＭ、ＣＤ−Ｒ、磁気テープ、不揮発性のメモリ、ＲＯＭなどの光記録媒体、磁気記録媒体、光磁気記録媒体、半導体記録媒体を使用することができる。
【０１２３】
また、コンピュータが読み出したプログラムコードを実行することにより、前述した画像処理装置の機能が実現されるだけでなく、そのプログラムコードの指示に基づき、コンピュータ上で稼働しているＯＳ（オペレーティングシステム）などが実際の処理の一部または全部を行い、その処理によって前述した画像処理装置の機能が実現される場合も含まれることは言うまでもない。
【０１２４】
また、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した画像処理装置の機能が実現される場合も含まれることは言うまでもない。
【産業上の利用可能性】
【０１２５】
本発明に係る画像処理装置、画像処理方法、およびコンピュータが実行するためのプログラムは、ＭＦＰ（デジタル複合機）等の画像形成装置に有用である。
【図面の簡単な説明】
【０１２６】
【図１】実施の形態１に係る画像処理装置のメカ構成を示す図である。
【図２】実施の形態２に係る画像処理装置のブロック構成を示す図である。
【図３−１】操作部の送信設定画面の表示例（その１）を示す図である。
【図３−２】操作部の送信設定画面の表示例（その２）を示す図である。
【図３−３】操作部の送信設定画面の表示例（その３）を示す図である。
【図４−１】操作部の読み取り条件設定画面の表示例（その１）を示す図である。
【図４−２】操作部の読み取り条件設定画面の表示例（その２）を示す図である。
【図４−３】操作部の読み取り条件設定画面の表示例（その３）を示す図である。
【図５】画像フォーマットの例を示す図である。
【図６−１】スキャナ画像処理部の機能構成図（その１）である。
【図６−２】スキャナ画像処理部の機能構成図（その２）である。
【図６−３】スキャナ画像処理部の機能構成図（その３）である。
【図７】第１シフト部および第２シフト部の処理を説明するための説明図である。
【図８】スキャナ・ファクシミリ同報送信の動作の概略を説明するための図である。
【図９】実施の形態２に係る画像処理装置を説明するための図である。
【図１０】実施の形態３に係る画像処理装置を説明するための図である。
【図１１】スキャナ画像処理部の機能構成図である。
【図１２】第２の画像処理部の機能構成図である。
【符号の説明】
【０１２７】
１  画像処理装置
１００  エンジン部
１１０  ＣＰＵ
１２０  画像読み取り部（スキャナ）
１３０  画像記録部（プロッタ）
１４０  ＡＳＩＣ−Ｅ（ＡＳＩＣ−Ｅ）
１４１  スキャナ画像処理部
１４２  プリンタ画像処理部
１４３  画像Ｉ／Ｆ部
２００  コントローラ
２１０  ＣＰＵ
２１１  ＮＢ
２１２  ＳＢ
２２０  ＭＥＭ−Ｐ（メモリ）
２３０  ＲＯＭ
２４０  操作部
２５０  ＡＳＩＣ−Ｄ（Ｉ／Ｆ部）
２７０  ＡＳＩＣ−Ｃ
２７１  回転器
２７２  編集器
２７３  メモリコントローラ
２８０  ハードディスク装置
２９０  ＭＥＭ−Ｃ（メモリ）
３００  ＦＣＵ（ファクシミリユニット）
３１０  ＣＰＵ
３２０  ＡＳＩＣ−Ｆ
３２１  圧縮伸張部
３２２  画像Ｉ／Ｆ部
３３０  通信制御部
４００  シェーディング補正部
４０１  絵・文字分離部
４０２  フィルタ処理部
４０３  有彩・無彩判定部
４０４  色補正部
４０５，４０６  第１変倍部（解像度変換手段）
４０７，４０８  第２変倍部（解像度変換手段）
４０９〜４１２  γ補正部
４１３  パッキング部
４１４  ２値化部
４１５  画像選択部
４１６  第１シフト部（画像修正手段）
４１７  第２シフト部（画像修正手段）
４１８〜４２１  正転／反転部
５００  第２の画像処理部
【図１】
2008078939.tif 000003
【図２】
2008078939.tif 000004
【図３−１】
2008078939.tif 000005
【図３−２】
2008078939.tif 000006
【図３−３】
2008078939.tif 000007
【図４−１】
2008078939.tif 000008
【図４−２】
2008078939.tif 000009
【図４−３】
2008078939.tif 000010
【図５】
2008078939.tif 000011
【図６−１】
2008078939.tif 000012
【図６−２】
2008078939.tif 000013
【図６−３】
2008078939.tif 000014
【図７】
2008078939.tif 000015
【図８】
2008078939.tif 000016
【図９】
2008078939.tif 000017
【図１０】
2008078939.tif 000018
【図１１】
2008078939.tif 000019
【図１２】
2008078939.tif 000020